(57)【要約】【課題】スケジュールの確認に要する操作を簡単にして使用者の負担を軽減することができる携帯端末装置及びスケジュール管理方法の提供。【解決手段】携帯端末装置に、スケジュール管理機能を起動させるための特定キー１０を含むキー操作部３と、キー操作部で入力されたスケジュールデータを記憶するメモリ１と、時計機能を備える時計部１１と、スケジュールデータを音声信号に変換する音声変換部４と、変換された音声信号を増幅して出力するオーディオ部９及びスピーカ５と、各種手段の制御を行う制御部２とを設け、特定キー１０が押下されると、制御部２はメモリ１に記憶されたスケジュールデータの中から時計部１１で取得した現在の時刻直後のスケジュールデータを特定し、音声変換部４は特定されたスケジュールデータを音声信号に変換し、オーディオ部９及びスピーカ５は音声信号を音声として出力する。【選択図】図１
2007006066.tif 000002
【特許請求の範囲】
【請求項１】
スケジュール管理機能を備える携帯端末装置において、
前記スケジュール管理機能を起動させるための特定キーを含むキー操作部と、
時刻に関連付けられた情報が記述された１以上のスケジュールデータを記憶するメモリと、
現在の時刻を通知する時計部と、
前記特定キーが押下された場合に、前記時計部から現在の時刻を取得し、前記メモリに記憶された全ての前記スケジュールデータの中から、現在の時刻より後で、かつ、現在の時刻に最も近い時刻のスケジュールデータを特定する制御部と、
特定された前記スケジュールデータを音声信号に変換する音声変換部と、
変換された前記音声信号に基づく音声を出力する音声出力部と、を少なくとも備えることを特徴とする携帯電話機。
【請求項２】
スケジュール管理機能を備える携帯端末装置において、
前記スケジュール管理機能を起動させるための特定キーを含むキー操作部と、
時刻に関連付けられた情報が記述された１以上のスケジュールデータを記憶するメモリと、
現在の時刻を通知する時計部と、
前記特定キーが押下された場合に、前記時計部から現在の時刻を取得し、前記メモリに記憶された全ての前記スケジュールデータの中から、現在の時刻より後で、かつ、現在の時刻に最も近い時刻のスケジュールデータを特定する制御部と、
特定された前記スケジュールデータに基づくスケジュールを表示する表示部と、を少なくとも備えることを特徴とする携帯電話機。
【請求項３】
前記時刻に関連付けられた情報は、前記携帯端末装置の使用者が実行する用件の予定時刻と、前記用件の名称と、前記用件の内容とを含むことを特徴とする請求項１又は２に記載の携帯電話機。
【請求項４】
携帯端末装置におけるスケジュール管理方法であって、
時刻に関連付けられた情報を入力するステップと、
入力された前記情報が記述された１以上のスケジュールデータを記憶するステップと、
予め設けられた特定キーが押下された場合に、記憶された全てのスケジュールデータの中から、現在の時刻より後で、かつ、現在の時刻に最も近い時刻のスケジュールデータを特定するステップと、
特定された前記スケジュールデータを音声信号に変換するステップと、
変換された前記音声信号に基づいて音声を出力するステップと、を少なくとも備えることを特徴とするスケジュール管理方法。
【請求項５】
携帯端末装置におけるスケジュール管理方法であって、
時刻に関連付けられた情報を入力するステップと、
入力された前記情報が記述された１以上のスケジュールデータを記憶するステップと、
予め設けられた特定キーが押下された場合に、記憶された全てのスケジュールデータの中から、現在の時刻より後で、かつ、現在の時刻に最も近い時刻のスケジュールデータを特定するステップと、
特定された前記スケジュールデータに基づくスケジュールを表示するステップと、を少なくとも備えることを特徴とするスケジュール管理方法。
【請求項６】
前記時刻に関連付けられた情報は、前記携帯端末装置の使用者が実行する用件の予定時刻と、前記用件の名称と、前記用件の内容とを含むことを特徴とする請求項４又は５に記載のスケジュール管理方法。
【発明の詳細な説明】
【技術分野】
【０００１】
本発明は、携帯端末装置及びその制御方法に関し、特に、スケジュール管理機能を備えた携帯端末装置及びそのスケジュール管理方法に関する。
【背景技術】
【０００２】
近年、携帯電話機やＰＤＡ（Personal Digital Assistance）などの携帯端末装置が普及している。携帯端末装置は小型、軽量であり、持ち運びが容易なことから、スケジュール管理などの用途にも広く用いられており、スケジュール管理機能などの各種機能の操作を容易にするための各種提案がなされている。
【０００３】
例えば、下記特許文献１には、階層的に構成されたメニューから選択された各種機能を実行し得るようになされた携帯電話機において、機能の実行を指示するための専用の実行キーと、任意の機能を実行キーに割り当てる機能割当手段と、実行キーの押下に応じて、当該実行キーに割り当てられた機能を実行する機能実行手段とを設けた携帯電話機が開示されている。
【０００４】
【特許文献１】特開２００２−９９２２号公報（第２−７頁、第３図）
【発明の開示】
【発明が解決しようとする課題】
【０００５】
しかしながら、上述した従来の携帯端末装置でスケジュールを確認するためには、例えば、キー操作部を操作してスケジュール管理機能を起動させ、日付を選択して当該日付のスケジュールデータを読み出し、その中から特定の時刻のスケジュールデータを表示させるなど、複数回のキー操作を行う必要があり、通常のパーソナルコンピュータを用いてスケジュール管理を行う場合と比較すると操作性が悪いという問題があった。
【０００６】
本発明は、上記問題点に鑑みてなされたものであって、その主たる目的は、スケジュールの確認に要する操作をより簡単にして、使用者の負担を軽減することができる携帯端末装置及びスケジュール管理方法を提供することにある。
【課題を解決するための手段】
【０００７】
上記目的を達成するため、本発明は、スケジュール管理機能を備える携帯端末装置において、前記スケジュール管理機能を起動させるための特定キーを含むキー操作部と、時刻に関連付けられた情報が記述された１以上のスケジュールデータを記憶するメモリと、現在の時刻を通知する時計部と、前記特定キーが押下された場合に、前記時計部から現在の時刻を取得し、前記メモリに記憶された全ての前記スケジュールデータの中から、現在の時刻より後で、かつ、現在の時刻に最も近い時刻のスケジュールデータを特定する制御部と、特定された前記スケジュールデータを音声信号に変換する音声変換部と、変換された前記音声信号に基づく音声を出力する音声出力部と、を少なくとも備えるものである。
【０００８】
また、本発明は、スケジュール管理機能を備える携帯端末装置において、前記スケジュール管理機能を起動させるための特定キーを含むキー操作部と、時刻に関連付けられた情報が記述された１以上のスケジュールデータを記憶するメモリと、現在の時刻を通知する時計部と、前記特定キーが押下された場合に、前記時計部から現在の時刻を取得し、前記メモリに記憶された全ての前記スケジュールデータの中から、現在の時刻より後で、かつ、現在の時刻に最も近い時刻のスケジュールデータを特定する制御部と、特定された前記スケジュールデータに基づくスケジュールを表示する表示部と、を少なくとも備えるものである。
【０００９】
また、本発明は、携帯端末装置におけるスケジュール管理方法であって、時刻に関連付けられた情報を入力するステップと、入力された前記情報が記述された１以上のスケジュールデータを記憶するステップと、予め設けられた特定キーが押下された場合に、記憶された全てのスケジュールデータの中から、現在の時刻より後で、かつ、現在の時刻に最も近い時刻のスケジュールデータを特定するステップと、特定された前記スケジュールデータを音声信号に変換するステップと、変換された前記音声信号に基づいて音声を出力するステップと、を少なくとも備えるものである。
【００１０】
また、本発明は、携帯端末装置におけるスケジュール管理方法であって、時刻に関連付けられた情報を入力するステップと、入力された前記情報が記述された１以上のスケジュールデータを記憶するステップと、予め設けられた特定キーが押下された場合に、記憶された全てのスケジュールデータの中から、現在の時刻より後で、かつ、現在の時刻に最も近い時刻のスケジュールデータを特定するステップと、特定された前記スケジュールデータに基づくスケジュールを表示するステップと、を少なくとも備えるものである。
【００１１】
本発明においては、前記時刻に関連付けられた情報は、前記携帯端末装置の使用者が実行する用件の予定時刻と、前記用件の名称と、前記用件の内容とを含む構成とすることができる。
【００１２】
このように、本発明によれば、携帯端末装置のキー操作部には、スケジュール管理機能を起動させるための特定キーが設けられ、特定キーが押下されると、メモリに記録されたスケジュールデータの中から現在の時刻に対応するスケジュールデータが特定され、特定されたスケジュールデータが音声信号に変換されてスピーカから出力、又は、特定されたスケジュールデータが表示部に表示されるため、特定キーを１回押下するのみでスケジュールを確認することができ、操作性を格段に向上させて使用者の負担を軽減することができる。
【発明の効果】
【００１３】
本発明の携帯電話機及びスケジュール管理方法によれば、スケジュールの確認に要する操作をより簡単にして、使用者の負担を軽減することができる。
【００１４】
その理由は、携帯端末装置に、スケジュール管理機能を起動させるための特定キーを含むキー操作部と、キー操作部で入力されたスケジュールデータを記憶するメモリと、時計機能を備える時計部と、スケジュールデータを音声信号に変換する音声変換部と、変換された音声信号を増幅して出力するオーディオ部やスピーカなどの音声出力手段と、各種手段の制御を行う制御部とを少なくとも備え、特定キーが押下されると、メモリに記憶されたスケジュールデータの中から時計部で取得した現在の時刻直後のスケジュールデータが特定され、特定されたスケジュールデータが音声変換部により音声信号に変換されてスピーカから出力、又は、特定されたスケジュールデータが表示部に表示されるため、特定キーを１回押下するだけでスケジュールを確認することができるからである。
【発明を実施するための最良の形態】
【００１５】
従来技術で示したように、携帯電話機やＰＤＡなどの携帯端末装置は一般にスケジュール管理機能を備えているが、表示部に所望の日時のスケジュールを表示させるためにはキーを複数回操作する必要があるため、簡単にスケジュールを確認することができないという問題があった。
【００１６】
ここで、スケジュール管理においては、予め入力したスケジュールの全てを表示する必要はなく、現在の時刻の直後のスケジュールが分かれば十分であり、特定のスケジュールのみを報知するのであれば携帯端末装置の構成を簡略化して操作性を向上させることができる。
【００１７】
そこで、本発明では、スケジュール管理機能を起動するための特定キーを設け、特定キーを押下すると、予めメモリに記憶されたスケジュールデータの中から、現在の時刻直後のスケジュールデータを特定し、特定したスケジュールデータを音声信号に変換して出力、又は、特定したスケジュールデータを表示部に表示するように、携帯端末装置を構成する。
【００１８】
これにより、携帯端末装置に予め記憶されたスケジュールデータを見る場合、従来のように特定のファンクション手順に従って複数回のキー押下を行う必要がなくなり、予め割り当てた特定キーを１回押下するだけで、現在の時刻の直後のスケジュールを確認することができるため、スケジュール確認における操作性を格段に向上させることができ、複数回のキー押下時の手順誤りを防止することができる。
【実施例１】
【００１９】
上記した本発明の実施の形態についてさらに詳細に説明すべく、本発明の第１の実施例に係る携帯端末装置及びスケジュール管理方法について、図１乃至図３参照して説明する。図１は、本実施例に係る携帯端末装置の主要な構成を示すブロック図であり、図２は、本実施例の携帯端末装置の外観構成を模式的に示す図である。また、図３は、本実施例の携帯端末装置を用いた処理の手順を示すフローチャート図である。
【００２０】
図１に示すように、本実施例の携帯端末装置は、メモリ１などの記憶手段と、制御部２と、特定キー１０を含むキー操作部３と、音声変換部４と、オーディオ部９及びスピーカ５などの音声出力手段と、無線部６及びアンテナ７などの無線通信手段と、表示部８と、時計部１１とを少なくとも備えている。
【００２１】
メモリ１は、ＲＡＭ（Random Access Memory）などで構成され、携帯電話機を動作させるためのプログラムや電話番号、ユーザデータ、キー操作部３を用いて入力された会議や外出、約束事などの使用者が実行する用件の予定時刻、用件の名称、用件の内容などの時刻に関連付けられた情報が記述されたデータ（以下、スケジュールデータと呼ぶ。）などを格納する。
【００２２】
制御部２は、ＣＰＵなどで構成され、携帯端末装置の各部と接続され、携帯端末装置全体を制御する。例えば、キー操作部３で入力された情報をスケジュールデータとしてメモリ１に格納したり、特定キー１０が押下された場合に、メモリ１から所定のスケジュールデータを読み出して音声変換部４に送信する制御などを行う。
【００２３】
また、キー操作部３は数字キーや方向キー、特定キー１０などを含む各キーからの入力を受ける入力回路であり、数字キーや方向キーなどを用いてスケジュールデータの入力を行う。例えば、図２に示すように、所定のスケジュール入力画面を用いて、用件の予定時刻、用件の名称、用件の内容の各々の欄に、”１３：００−１４：００”、”定例会議”、”Ａ会議室にて、販売戦略の打合せ”などの入力を行う。また、特定キー１０はスケジュール管理機能を起動するために利用されるキーであり、キー操作部３の任意の場所に配置される。この特定キー１０はスケジュール管理機能を起動するためだけに利用される専用のキーとしてもよいし、待ち受け画面が表示されている場合はスケジュール管理機能を起動するキーとして機能し、他の機能が選択されている場合は他の機能に利用されるキーとして機能する兼用のキーとしてもよい。
【００２４】
音声変換部４は、公知の音声変換手法を用いてスケジュールデータを音声信号に変換する回路である。なお、スケジュールデータと音声信号とは完全に一致させる必要はなく、スケジュールの内容が理解できるように変換されていれば良い。例えば、予定時刻と用件の名称のみを音声信号に変換したり、スケジュールデータの項目の順番を入れ替えて（例えば、用件の名称を先に、予定時刻を後にするなど）音声信号に変換してもよい。また、例えば、”Ａ会議室にて、販売戦略の打合せ”のように、スケジュールデータ中に記号が使用されている場合には記号（ここではカンマ）は変換しなくてもよいし、用件の予定時刻（上記例では”１３：００−１４：００”）を音声情報に変換する際に、所定の言葉を付加して、”１３時から１４時の予定”などと変換してもよい。
【００２５】
オーディオ部９は、音声変換部４から出力される音声信号や、無線部６及びアンテナ７を用いて受信した音声信号などの増幅を行う回路であり、スピーカ５は、オーディオ部９から出力される増幅信号を音声として出力する装置である。
【００２６】
無線部６及びアンテナ７は、携帯端末装置を用いた通話などを実現するための手段であり、無線部６は、アンテナ７にて受信した信号を、受信したい信号周波数に変換して増幅し、復調した後、受信データを制御部２に出力する。
【００２７】
表示部８は、液晶表示装置や有機ＥＬ（Electroluminescence）表示装置などで構成され、例えば、スケジュールデータを入力するための画面などを表示する。
【００２８】
時計部１１は、時計機能を有する回路であり、制御部２に対して現在の時刻を通知する。
【００２９】
なお、図１の構成は例示であり、一般的な携帯端末装置に、スケジュール管理機能を起動させるための特定キー１０と、スケジュールデータを音声信号に変換して出力するための手段とを備えていればよく、デジタルカメラ機能やＴＶ電話機能、ＴＶ放送受信機能、非接触ＩＣカード機能などの他の機能を実現するための手段を備えていてもよい。また、図２の構成も例示であり、特定キー１０の配置や構成、スケジュールデータの入力画面の配置や構成、入力項目なども任意に設定することができる。
【００３０】
次に、上記構成の携帯端末装置を用いた処理の手順について、図３のフローチャート図を参照して説明する。
【００３１】
まず、ステップＳ１００で、携帯端末装置の使用者は、表示部８に図２に示すようなスケジュールを入力するための画面を表示させ、キー操作部３を操作してスケジュールデータを入力すると、制御部２は入力された情報をスケジュールデータとしてメモリ１に記憶する。なお、このスケジュールデータは携帯端末装置のキー操作部３を操作して入力してもよいし、例えば、パーソナルコンピュータなどの他の装置でスケジュールデータを入力して携帯端末装置に送信し、無線部６及びアンテナ７を用いてスケジュールデータを受信してメモリ１に記憶してもよい。
【００３２】
次に、ステップＳ１０１で、使用者が特定キー１０を押下すると、ステップＳ１０２で、制御部２は時計部１１から現在の時刻を取得し、現在の時刻とメモリ１に記憶されている全スケジュールデータの予定時刻との比較を行う。このとき、過去の時刻に対応するスケジュールデータは対象外とする。
【００３３】
次に、ステップＳ１０３で、制御部２は、全スケジュールデータの中から、現在の時刻より後で、かつ、現在の時刻に最も近い予定時刻のスケジュールデータを特定し、そのスケジュールデータをメモリ１より読み出す。例えば、当日のスケジュールが１０：００〜１１：００の打合せと、１３：００〜１４：００の定例会議と、１５：００〜１７：００の外出であり、特定キー１０を押下した時刻が１２：３０であるとすると、全スケジュールデータの内、１３：００〜１４：００の定例会議のスケジュールデータを特定する。
【００３４】
次に、ステップＳ１０４で、制御部２は、読み出したスケジュールデータを音声変換部４に送り、音声変換部４はスケジュールデータを音声信号に変換する。例えば、上記例では、”１３時から１４時  定例会議  Ａ会議室にて販売戦略の打合せ”のように変換する。なお、上述したように、音声信号はスケジュールデータの内容が認識できるように変換されていればよく、スケジュールデータと音声信号とは必ずしも一致しなくてもよい。
【００３５】
そして、ステップＳ１０５で、変換した音声信号をオーディオ部９で増幅し、スピーカ５より音声として出力する。その後、必要に応じてステップＳ１０１に戻って同様の処理を繰り返す。
【００３６】
このように、本実施例の携帯端末装置及びスケジュール管理方法によれば、携帯端末装置に予め設けられたスケジュール管理機能を起動させるための特定キー１０を押下すると、メモリ１に予め記憶されたスケジュールデータの中から現在の時刻の直後のスケジュールデータが読み出され、該スケジュールデータが音声信号に変換され、増幅されてスピーカ５から出力されるため、スケジュールを確認するための操作を格段に簡略化することができ、使用者の負担を軽減することができる。
【実施例２】
【００３７】
次に、本発明の第２の実施例に係る携帯端末装置及びスケジュール管理方法について、図４及び図５を参照して説明する。図４は、本実施例の携帯端末装置を用いた処理の手順を示すフローチャート図であり、図５は、本実施例の携帯端末装置の表示部に表示される画面の構成例を示す図である。
【００３８】
前記した第１の実施例では、スケジュールデータを音声信号に変換してスピーカ５から出力させたが、携帯端末装置には、スケジュールデータや時刻等の表示手段としての表示部８を有するため、スケジュールデータを表示部８に表示することも可能である。その場合の手順について、図４のフローチャート図を参照して説明する。
【００３９】
まず、第１の実施例と同様に、ステップＳ２００で、携帯端末装置の使用者は、表示部８に図２に示すようなスケジュールを入力するための画面を表示させ、キー操作部３を操作してスケジュールデータを入力すると、制御部２は入力された情報をスケジュールデータとしてメモリ１に記憶する。
【００４０】
次に、ステップＳ２０１で、使用者が特定キー１０を押下すると、ステップＳ２０２で、制御部２は時計部１１から現在の時刻を取得し、現在の時刻とメモリ１に記憶されている全スケジュールデータの予定時刻との比較を行い、ステップＳ２０３で、制御部２は、全スケジュールデータの中から、現在の時刻より後で、かつ、現在の時刻に最も近い予定時刻のスケジュールデータを特定し、そのスケジュールデータをメモリ１より読み出す。例えば、第１の実施例と同様に、当日のスケジュールが１０：００〜１１：００の打合せと、１３：００〜１４：００の定例会議と、１５：００〜１７：００の外出であり、特定キー１０を押下した時刻が１２：３０であるとすると、全スケジュールデータの内、１３：００〜１４：００の定例会議のスケジュールデータを特定する。
【００４１】
そして、ステップＳ２０４で、読み出したスケジュールデータを表示部８に表示する。例えば上記例では、表示部８には、図５（ａ）に示すように”１３：００−１４：００、定例会議、Ａ会議室にて、販売戦略の打合せ”が表示部８に表示される。なお、スケジュールの表示方法は任意であり、特定キー１０を押下した時刻より後で、かつ、押下した時刻に最も近い予定時刻のスケジュールが識別可能に表示されればよく、例えば、図５（ｂ）に示すように、そのスケジュールを他のスケジュールとは異なる表示形態（例えば、そのスケジュールを点滅させたり、太字で表示したり、白黒反転させるなど）で表示する構成としてもよい。その後、必要に応じてステップＳ２０１に戻って同様の処理を繰り返す。
【００４２】
このように、本実施例の携帯端末装置及びスケジュール管理方法によれば、携帯端末装置に予め設けられたスケジュール管理機能を起動させるための特定キー１０を押下すると、メモリ１に予め記憶されたスケジュールデータの中から現在の時刻の直後のスケジュールデータが読み出され、該スケジュールデータに基づくスケジュールが表示部８に表示されるため、スケジュールを確認するための操作を格段に簡略化することができ、使用者の負担を軽減することができる。また、本実施例では、スケジュールデータを文字として表示するため、周囲の人にスケジュールの内容を聞かれることがないため、任意の場所でのスケジュールの確認が可能となる。
【００４３】
なお、第１の実施例では、スケジュールデータを音声信号に変換してスピーカ５で出力し、第２の実施例では、スケジュールデータを表示部８に表示したが、第１の実施例と第２の実施例とを組み合わせて、スケジュールデータを音声としてスピーカ５から出力すると共に表示部８に表示する構成としてもよい。
【００４４】
また、上記各実施例では、使用者の行動予定に関する制御について記載したが、本発明は上記実施例に限定されるものではなく、例えば、無線部６及びアンテナ７を用いて電車の時刻表などを受信してメモリ１に記憶し、特定キー１０を押下した場合に、現在の時刻に最も近い発車時刻の電車をメモリ１から読み出して音声信号に変換してスピーカ５から出力、又は、表示部８に表示したり、無線部６及びアンテナ７を用いてＴＶ番組表などを受信してメモリ１に記憶し、特定キー１０を押下した場合に、現在の時刻に最も近い時刻のＴＶ番組をメモリ１から読み出して音声信号に変換してスピーカ５から出力、又は、表示部８に表示するなど、時刻に関連付けられた任意の情報の管理について同様に適用することができる。
【産業上の利用可能性】
【００４５】
本発明は携帯電話機に限らず、ＰＤＡやノート型コンピュータ機器、スケジュール管理機能を有する腕時計やゲーム機、卓上型電子計算機などに対しても同様に適用することができる。
【図面の簡単な説明】
【００４６】
【図１】本発明の第１の実施例に係る携帯端末装置の構成を示すブロック図である。
【図２】本発明の第１の実施例に係る携帯端末装置の外観構成を模式的に示す図である。
【図３】本発明の第１の実施例に係る携帯端末装置を用いた処理の手順を示すフローチャート図である。
【図４】本発明の第２の実施例に係る携帯端末装置を用いた処理の手順を示すフローチャート図である。
【図５】本発明の第２の実施例に係る携帯端末装置の表示部に表示される画面の一例を示す図である。
【符号の説明】
【００４７】
１  メモリ
２  制御部
３  キー操作部
４  音声変換部
５  スピーカ
６  無線部
７  アンテナ
８  表示部
９  オーディオ部
１０  特定キー
１１  時計部
【図１】
2007006066.tif 000003
【図２】
2007006066.tif 000004
【図３】
2007006066.tif 000005
【図４】
2007006066.tif 000006
【図５】
2007006066.tif 000007